(57)【要約】  【課題】ドアの開閉に従い貯蔵室内に光を照射する庫内灯を備えた冷蔵庫において、貯蔵室の温度変化を検出することによりドアの開閉を検出し、ドアスイッチ等によるドア開閉の検出を不要とした冷蔵庫を提供する。  【解決手段】冷蔵室１０１に光を照射する庫内灯１１０を設置した冷蔵庫１０２において、冷蔵室１０１内の温度を検出する庫内温度検出手段１０８と、冷蔵室１０１内の温度変化パターンに応じて庫内灯１１０の点灯を制御する庫内灯通電制御手段１１２を備えたことによって、ドアの開閉を検出し、庫内灯１１０への通電をＯＮ、ＯＦＦすることができる。【選択図】図１
2008151377.tif 000002
【特許請求の範囲】
【請求項１】
冷凍サイクルの冷却器で生成された冷気により冷却される貯蔵室と、前記貯蔵室内の温度を検出する温度検出手段と、前記貯蔵室内に光を照射する庫内灯と、前記貯蔵室内の温度に応じて前記庫内灯の点灯を制御する庫内灯通電制御手段を備えたことを特徴とする冷蔵庫。
【請求項２】
前記庫内灯通電制御手段は、温度検出手段からの入力により温度を判定する温度判定手段と、前記温度判定手段の結果に応じて庫内灯をＯＮ、ＯＦＦさせる庫内灯駆動手段を備えたことを特徴とする請求項１に記載の冷蔵庫。
【発明の詳細な説明】
【技術分野】
【０００１】
本発明は、貯蔵室内に光を照射する庫内灯を備えた冷蔵庫に関するものである。
【背景技術】
【０００２】
従来の冷蔵庫においては、庫内灯の点灯を制御する方法としては扉の開閉によって制御されるドアスイッチと庫内灯を点灯させる電子回路を冷蔵庫に備えて、１つまたは複数の庫内灯を点灯させるものが主流となっている（例えば、特許文献１参照）。
【０００３】
以下、図面を参照しながら上記従来の庫内灯点灯の方法を説明する。
【０００４】
図３は従来の冷蔵庫の断面図、図４は従来の冷蔵庫のドアスイッチ部の拡大図である。
【０００５】
図３において１は外箱、２は内箱、そして外箱１と内箱２との間に断熱材（図示せず）を介在し、外気の熱伝導を遮断している。３は内箱２の内面に取り付けられた冷却器、４，５は冷凍室６、冷蔵室７の各前面開口部をヒンジ８を介して開閉する扉である。９は各扉４，５の開閉に連動して、４，５が共に閉の時、冷気を冷凍室６、冷蔵室７に送り込むファンモータ、１０は冷凍室６、冷蔵室７を仕切る仕切り板、１１は内箱２の内面で仕切板１０と同じ高さで冷凍室６、冷蔵室７を照明可能な位置に配置し、扉４，５の開閉に連動して、扉４，５の少なくともいずれか一方が開いた時、点灯する庫内灯である。冷気をファンモータ９によって冷凍室６から冷蔵室７へ送る流通路１２があり、仕切板１０の前面意匠部に配置したファンスイッチ１３とランプスイッチ１４があり、それぞれ共通接点ａ及び切替接点ｂ、ｃを有する。１５，１６は、扉４，５が閉の時ファンスイッチ１３、ランプスイッチ１４を押圧する位置のそれぞれの扉４，５に設けてある押板である。扉４，５のハンドルとして１７がある。
【特許文献１】特開平５−８７４３１号公報
【発明の開示】
【発明が解決しようとする課題】
【０００６】
しかしながら、上記従来の構成ではドアの開閉を検出するドアスイッチが必要であり、回路が複雑化しコストがかかるという課題を有していた。
【０００７】
また、ドアスイッチは接点を有するものであり、開閉回数に対し接点寿命が存在するものである。
【０００８】
本発明は、上記従来の課題を解決するもので、冷蔵庫のドアの開閉を庫内温度の変化によって検出することで、ドアスイッチを必要としない、部品点数の少なく低コストで長寿命な冷蔵庫を提供することを目的とする。
【課題を解決するための手段】
【０００９】
上記従来の課題を解決するために本発明の冷蔵庫は、冷凍サイクルの冷却器で生成された冷気により冷却される貯蔵室と、前記貯蔵室内の温度を検出する温度検出手段と、前記貯蔵室内に光を照射する庫内灯と、前記貯蔵室内の温度に応じて前記庫内灯の点灯を制御する庫内灯通電制御手段を備えたものである。
【００１０】
これにより、特別なスイッチを用いずに、庫内灯の通電を制御することができる。
【発明の効果】
【００１１】
本発明の冷蔵庫は、貯蔵室内の温度を検出し、庫内灯を制御することができ、低コストでかつ長寿命な冷蔵庫を提供することができる。
【発明を実施するための最良の形態】
【００１２】
請求項１に記載の発明は、冷凍サイクルの冷却器で生成された冷気により冷却される貯蔵室と、前記貯蔵室内の温度を検出する温度検出手段と、前記貯蔵室内に光を照射する庫内灯と、前記貯蔵室内の温度に応じて前記庫内灯の点灯を制御する庫内灯通電制御手段を備えたことで、庫内灯の通電を貯蔵室の温度に応じて制御することができ、低コストでかつ長寿命な冷蔵庫を提供することができる。
【００１３】
請求項２に記載の発明は、請求項１に記載の発明において、前記庫内灯通電制御手段は、温度判定手段が温度検出手段からの入力により温度判定を行い温度信号を出力し、温度信号に応じて、所定の温度以上または温度の下降で、庫内灯をＯＮ、またはＯＦＦさせる庫内灯駆動手段によって、ドアの開閉に応じて庫内灯を抑制することができる。
【００１４】
以下、本発明の実施の形態について、図面を参照しながら説明する。なお、この実施の形態によってこの発明が限定されるものではない。
【００１５】
（実施の形態１）
図１は、本発明の実施の形態１における冷蔵庫の制御装置のブロック図であり、冷蔵庫の構成と動作を示すものである。図２は、本発明の実施の形態１における庫内温度とドア開閉の相関を示すグラフである。
【００１６】
図１において、冷蔵庫１０２は、冷蔵室１０１を備え、冷蔵室１０１内の温度を検出する庫内温度検出手段１０８と、冷蔵室１０１内を照射する庫内灯１１０と、庫内温度検出手段１０８からの入力により温度判定を行い温度信号を出力する庫内温度判定手段１１３と温度信号に応じて庫内灯１１０を点灯消灯させる庫内灯駆動手段１１４からなる庫内灯通電制御手段１１２とを備えた構成となっている。
【００１７】
以上のように構成された冷蔵庫１０２について、以下その動作、作用を説明する。
【００１８】
まず、冷蔵庫１０２の電源投入後、冷蔵室１０１は冷却開始により庫内温度が徐々に低下していくが、このとき図２に示すａ区間では、ドア閉の状態で庫内温度Ｔは時間経過とともに下降し、所定の設定温度Ｗ１に達する。ｂ区間では、ドア閉の状態で庫内温度Ｔは所定の設定温度Ｗ１以下で経過する。ｃ区間では、ドア開の状態になった場合で、庫内温度Ｔは所定の設定温度Ｗ１以上で経過する。ｄ区間は、ドア閉の状態になり庫内温度Ｔは時間経過とともに下降し、所定の設定温度Ｗ１に達することとなり、以降ｂ区間に移行する。このような温度パターンを庫内温度判定手段１１３が判定し庫内灯駆動手段１１４により、ｃ区間の温度パターンにおいては、ドア開として庫内灯１１０はＯＮ（点灯）され、他のａ、ｂ、ｄ区間の温度パターンにおいては、ドア閉として庫内灯１１０はＯＦＦ（消灯）される。
【００１９】
以上のように、本実施の形態においては冷蔵室の温度検出によりドアの開閉を検出することができ、ドアスイッチを使用することなく、庫内灯を点灯、消灯させることができる。
【００２０】
本実施の形態では、庫内灯の点灯、消灯についての制御を説明したが、庫内のファンモータの制御にも応用できる。また、冷蔵室について説明をしたが、冷凍室等その他の貯蔵室について用いてもなんら問題はない。
【産業上の利用可能性】
【００２１】
以上のように、本発明にかかる冷蔵庫は、貯蔵室内に設けられた庫内灯の駆動をドアスイッチを用いることなく行うことで、部品点数を削減した低コストで長寿命の冷蔵庫を提供するもので、冷蔵庫に限らず、機能として庫内温度の検出を用いる装置であれば、ドアの開閉を検出し、庫内灯等の負荷を制御することができる。
【図面の簡単な説明】
【００２２】
【図１】本発明の実施の形態１における冷蔵庫の制御装置のブロック図
【図２】本発明の実施の形態１における庫内温度とドア開閉の相関を示すグラフ
【図３】従来の冷蔵庫の断面図
【図４】従来の冷蔵庫のドアスイッチ部の拡大図
【符号の説明】
【００２３】
１０１  冷蔵室（貯蔵室）
１０８  庫内温度検出手段（温度検出手段）
１１０  庫内灯
１１２  庫内灯通電制御手段
１１３  庫内温度判定手段（温度判定手段）
１１４  庫内灯駆動手段
【図１】
2008151377.tif 000003
【図２】
2008151377.tif 000004
【図３】
2008151377.tif 000005
【図４】
2008151377.tif 000006